(57)【要約】      （修正有）【課題】チルト制御をより適切に行うことを可能とする。【解決手段】レンズ駆動装置は、水平方向に沿って並んで配置される２つの異なる磁極領域によって２つの異なる磁界を形成可能な着磁パターンを夫々有する一対のマグネット１１、１２と、対物レンズ３１を有すると共に、基準方向に沿って相対的に長いチルト制御用のコイルが側面に取り付けられたレンズホルダ３０と、コイルが一対のマグネット１１、１２と対向するように、レンズホルダ３０を一対のマグネット１１、１２の間で傾斜可能に保持する保持手段とを備える。【選択図】図２
2008052839.tif 000002
【特許請求の範囲】
【請求項１】
基準方向に沿って並んで配置される２つの異なる磁極領域によって２つの異なる磁界を形成可能な着磁パターンを夫々有する一対のマグネットと、
（i）対物レンズを有すると共に、（ii）前記基準方向に沿って相対的に長いチルト制御用のコイルが、側面に取り付けられたレンズホルダと、
前記コイルが前記一対のマグネットと対向するように、前記レンズホルダを前記一対のマグネットの間で傾斜可能に保持する保持手段と、
を備えることを特徴とするレンズ駆動装置。
【請求項２】
前記コイルにおける、前記基準方向の両端部は、前記磁界に含まれないことを特徴とする請求項１に記載のレンズ駆動装置。
【請求項３】
前記一対のマグネットは、（i）前記２つの磁極領域の第２着磁境界線と、（ii）前記第２着磁境界線と交差する第１着磁境界線とによって規定される４つの磁極領域によって４つの磁界を形成可能な着磁パターンを夫々有することを特徴とする請求項１から３のうちのいずれか一項に記載のレンズ駆動装置。
【請求項４】
前記保持手段は、前記コイルの上側部が、前記基準方向に沿った前記第１着磁境界線を跨らないと共に、前記コイルの下側部が、前記第１着磁境界線を跨らないように、前記レンズホルダを保持することを特徴とする請求項３に記載のレンズ駆動装置。
【請求項５】
前記保持手段は、前記コイルの重心が、前記基準方向に沿った前記第１着磁境界線を跨るように、前記レンズホルダを保持することを特徴とする請求項３又は４に記載のレンズ駆動装置。
【請求項６】
前記コイルにおける前記基準方向と直交する直交方向の長さは、当該コイルの上側の中心部、及び、当該コイルの下側の中心部が、前記磁界に含まれるように、規定されることを特徴とする請求項３から５のうちのいずれか一項に記載のレンズ駆動装置。
【請求項７】
前記基準方向は、略水平方向であることを特徴とする請求項１から６のうちのいずれか一項に記載のレンズ駆動装置。
【請求項８】
前記保持手段は、前記コイルの上側部、及び前記コイルの下側部のうちいずれか一方は、前記磁界に含まれないように、前記レンズホルダを保持することを特徴とする請求項１から７のうちのいずれか一項に記載のレンズ駆動装置。
【請求項９】
前記レンズホルダは、フォーカス制御用及びチルト制御用の一のコイルを、更に重ねて側面に取り付けることを特徴とする請求項１から８のうちのいずれか一項に記載のレンズ駆動装置。
【請求項１０】
前記レンズホルダは、フォーカス制御用の一のコイル、並びに、トラッキング制御用の他のコイルを、更に重ねて側面に取り付けることを特徴とする請求項１から９のうちのいずれか一項に記載のレンズ駆動装置。
【発明の詳細な説明】
【技術分野】
【０００１】
本発明は、ディスクに情報を記録したり、記録された情報を読み取るディスクプレーヤのレンズ駆動装置に関するものであり、特に平面状コイルを用いたレンズ駆動装置の構造に関する。
【背景技術】
【０００２】
光学的に情報を記録したディスクから情報を読み取る際に、読み取りビームをディスク面に集束させるために対物レンズをレンズ光軸方向（フォーカス方向）に駆動させたり、読み取りビームを情報トラックに追従させるため対物レンズをレンズ光軸方向と直角方向（トラッキング方向）に駆動させたり、読み取りビームの光軸をディスク面に対して垂直に照射させるために対物レンズをディスク面のそり方向（チルト方向）に駆動させたりする、レンズ駆動装置が知られている。特に、田の字の形状である、４つの磁極領域において、Ｎ極面とＳ極面とが交互に隣り合うように結合して構成されたマグネットに、メガネ形状の２つのチルト制御用及びフォーカス制御用のコイルが対向するように配置されているレンズ駆動装置も提案されている。
【０００３】
【特許文献１】特開２００１−２２９５５７公報
【発明の開示】
【発明が解決しようとする課題】
【０００４】
しかしながら、上述したレンズ駆動装置では、メガネ形状の相対的にコイル線長が短い２つのチルト制御用のコイルを、４つの磁極領域に対向させることによって、チルト制御を行っているので、１つ単位でのチルト制御用のコイルに対する鎖交磁束が小さくなってしまい、対物レンズを可動する可動部に作用する力が小さくなってしまい、チルト制御用のコイルに流れる制御電流の極性及び大きさを入力情報としたチルト駆動量の制御における感度が小さくなってしまうという技術的な問題が生じてしまう。
【０００５】
本発明は、上述した従来の問題点に鑑みなされたものであり、チルト制御をより適切に行うことが可能なレンズ駆動装置を提供することを課題とする。
【課題を解決するための手段】
【０００６】
上記課題を解決するために、請求項１に記載のレンズ駆動装置は、基準方向（水平方向）に沿って並んで配置される２つの異なる磁極領域によって２つの異なる磁界を形成可能な着磁パターンを夫々有する一対のマグネットと、（i）対物レンズを有すると共に、（ii）前記基準方向に沿って相対的に長いチルト制御用のコイルが、側面に取り付けられたレンズホルダと、前記コイルが前記一対のマグネットと対向するように、前記レンズホルダを前記一対のマグネットの間で傾斜可能に保持する保持手段と、を備える。
【０００７】
本発明の作用及び他の利得は次に説明する実施の形態から明らかにされよう。
【発明を実施するための最良の形態】
【０００８】
以下、発明を実施するための最良の形態としての本発明の実施形態に係るレンズ駆動装置について順に説明する。
【０００９】
（レンズ駆動装置の実施形態）
本発明のレンズ駆動装置に係る実施形態は、基準方向（水平方向）に沿って並んで配置される２つの異なる磁極領域によって２つの異なる磁界を形成可能な着磁パターンを夫々有する一対のマグネットと、（i）対物レンズを有すると共に、（ii）前記基準方向に沿って相対的に長いチルト制御用のコイルが、側面に取り付けられたレンズホルダと、前記コイルが前記一対のマグネットと対向するように、前記レンズホルダを前記一対のマグネットの間で傾斜可能に保持する保持手段と、を備える。
【００１０】
本発明のレンズ駆動装置に係る実施形態によれば、一対のマグネットを所定の間隔をもって対向配置することにより、一対のマグネットの間に磁界（磁場）が形成される。この磁場内で、対物レンズを有するレンズホルダの側面に取り付けられたチルト制御用のコイルに通電することにより、保持手段に保持されたレンズホルダが傾斜すると共に、例えばフォーカス方向及びトラッキング方向に移動する。
【００１１】
特に、本実施形態では、基準方向に沿って相対的に長い（言い換えると、相対的にコイル線長が長い）、単一のチルト制御用のコイルが、レンズホルダの一の側面、又は、他の側面に取り付けられる。このように規定されたコイルと、マグネットによって、チルト制御が行われる。
【００１２】
仮に、基準方向に沿って並んで配置された、基準方向に沿って相対的に短い２つのコイルを、磁極領域に対向させることによって、チルト制御を行う場合、コイルに対する鎖交磁束が小さくなってしまい、レンズホルダに作用する、チルト制御のための力は、小さくなってしまう。よって、コイルに流れる制御電流の極性及び大きさを入力情報としたチルト駆動量の制御における感度が小さくなってしまい、適切なチルト駆動を実現するために、大きな電力が必要となってしまう。
【００１３】
これに対して、本実施形態に係るコイルは、上述したように、基準方向に沿って相対的に長い（言い換えると、相対的にコイル線長が長い）、単一のチルト制御用のコイルが、レンズホルダの一の側面、又は、他の側面に取り付けられる。より具体的には、このチルト制御用のコイルにおける、マグネットの大きさを基準にした基準方向（例えば水平方向）の大きさと可動範囲は、コイルの両端部が、マグネットが形成する磁界に含まれないように、当該コイルの基準方向の長さと可動範囲が規定される。このように規定されたコイルと、マグネットによって、チルト制御が行われる。
【００１４】
この結果、コイルの大きさを基準方向に沿って長くさせ、磁極領域に対向させることによって、コイルに対する鎖交磁束を大きくして、コイルに流れる制御電流の極性及び大きさを入力情報としたチルト駆動量の制御における感度を大きくさせ、磁気回路のより効率的な利用を実現可能である。
【００１５】
以上の結果、より少ない電力で、より適切なチルト駆動を実現することが可能である。
【００１６】
本発明のレンズ駆動装置に係る実施形態の一の態様は、前記コイルにおける、前記基準方向の両端部は、前記磁界に含まれない。
【００１７】
この態様によれば、チルト制御用のコイルにおける、マグネットの大きさを基準にした基準方向（例えば水平方向又はトラッキング方向）の大きさと可動範囲は、コイルにおける、基準方向の両端部が、マグネットが形成する磁界に含まれないように、当該コイルの基準方向の長さと可動範囲が規定される。このように規定されたコイルと、マグネットによって、チルト制御が行われる。
【００１８】
この結果、コイルの両端部が磁界に含ませないことによって、フォーカス方向（垂直方向、又は、縦方向）に流れる電流に起因するチルト駆動と相反する方向への力の影響を殆ど又は完全に無くし、コイルに流れる制御電流の極性及び大きさを入力情報としたチルト駆動量の制御における感度を大きくさせ、磁気回路のより効率的な利用を実現可能である。
【００１９】
本発明のレンズ駆動装置に係る実施形態の他の態様は、前記一対のマグネットは、（i）前記２つの磁極領域の第２着磁境界線と、（ii）前記第２着磁境界線と交差する第１着磁境界線とによって規定される４つの磁極領域によって４つの磁界を形成可能な着磁パターンを夫々有する。
【００２０】
この態様によれば、コイルの大きさを基準方向に沿って長くさせ、４つの磁極領域に対向させることによって、コイルに対する鎖交磁束を大きくして、コイルに流れる制御電流の極性及び大きさを入力情報としたチルト駆動量の制御における感度を大きくさせ、磁気回路のより効率的な利用を実現可能である。
【００２１】
上述した保持手段に係る態様では、前記保持手段は、前記コイルの上側部が、前記基準方向に沿った前記第１着磁境界線を跨らないと共に、前記コイルの下側部が、前記第１着磁境界線を跨らないように、前記レンズホルダを保持するように構成してもよい。
【００２２】
このように構成すれば、マグネットの大きさを基準にした、コイルのフォーカス方向の可動範囲は、（ｉ）コイルの上側部が、第１着磁境界線を跨らなく、（ｉｉ）コイルの下側部が、第１着磁境界線を跨らなく、更に、（ｉｉｉ）第１着磁境界線は、コイルの中央部（即ち、コイルが巻いていない部分）を通過するように規定される。このように規定されたコイルと、マグネットによって、チルト制御が行われる。
【００２３】
この結果、チルト制御によりレンズホルダが傾斜したときに、コイルの一部が意図しない逆磁界に入って誤動作することを効果的に防止することが可能である。
【００２４】
更に、上述した保持手段に係る態様では、前記保持手段は、前記コイルの重心が、前記基準方向に沿った前記第１着磁境界線を跨るように、前記レンズホルダを保持するように構成してもよい。
【００２５】
このように構成すれば、マグネットの大きさを基準にした、コイルのフォーカス方向の可動範囲は、（ｉ）コイルの中央部（即ち、コイルが巻いていない部分）に含まれるコイルの重心は、第１着磁境界線を跨り、更に、（ｉｉ）コイルの上側部が、第１着磁境界線を跨らなく、（ｉｉｉ）コイルの下側部が、第１着磁境界線を跨らないように規定される。このように規定されたコイルと、マグネットによって、チルト制御が行われる。
【００２６】
この結果、チルト制御によりレンズホルダが傾斜したときに、コイルの一部が意図しない逆磁界に入って誤動作することを効果的に防止することが可能である。
【００２７】
更に、上述したコイルに係る態様では、前記コイルにおける前記基準方向と直交する直交方向の長さは、当該コイルの上側の中心部、及び、当該コイルの下側の中心部が、前記磁界に含まれるように、規定されるように構成してもよい。
【００２８】
このように構成すれば、コイルの上側の中心部、及び、当該コイルの下側の中心部を含む、コイルの大部分を、４つの磁極領域に対向させることによって、コイルに対する鎖交磁束を大きくして、コイルのチルト駆動量の制御における感度を大きくさせ、磁気回路のより効率的な利用を実現可能である。
【００２９】
本発明のレンズ駆動装置に係る実施形態の他の態様は、前記基準方向は、略水平方向である。
【００３０】
この態様によれば、コイルの大きさを水平方向に沿って長くさせ、磁極領域に対向させることによって、コイルに対する鎖交磁束を大きくして、コイルのチルト駆動量の制御における感度を大きくさせ、磁気回路のより効率的な利用を実現可能である。
【００３１】
本発明のレンズ駆動装置に係る実施形態の他の態様は、前記保持手段は、前記コイルの上側部、及び前記コイルの下側部のうちいずれか一方は、前記磁界に含まれないように、前記レンズホルダを保持する。
【００３２】
この態様によれば、コイルの上側部、及び下側部のうちいずれか一方が、２つの磁極領域に対向させることによって、コイルに対する鎖交磁束を大きくして、コイルのチルト駆動量の制御における感度を大きくさせ、磁気回路のより効率的な利用を実現可能である。
【００３３】
加えて、この結果、チルト制御によりレンズホルダが傾斜したときに、コイルの上側部の一部が逆磁界に入って誤動作することを防止することが可能である。或いは、チルト制御によりコイル基板が傾斜したときに、コイルの下側部の一部が逆磁界に入って誤動作することを防止するが可能である。
【００３４】
本発明のレンズ駆動装置に係る実施形態の他の態様は、前記レンズホルダは、フォーカス制御用及びチルト制御用の一のコイルを、更に重ねて側面に取り付ける。
【００３５】
この態様によれば、上述したチルト制御用のコイルに加えて、フォーカス制御用及びチルト制御用の一のコイルに基づいて、チルト駆動量に加えてフォーカス駆動量の制御における感度を大きくさせ、磁気回路のより効率的な利用を実現可能である。
【００３６】
以上の結果、より少ない電力で、より適切なチルト駆動及びフォーカス駆動を実現することが可能である。
【００３７】
本発明のレンズ駆動装置に係る実施形態の他の態様は、前記レンズホルダは、フォーカス制御用の一のコイル、並びに、トラッキング制御用の他のコイルを、更に重ねて側面に取り付ける。
【００３８】
この態様によれば、上述したチルト制御用のコイルに加えて、フォーカス制御用の一のコイル、並びに、トラッキング制御用の他のコイルに基づいて、チルト駆動量に加えてフォーカス駆動量、並びに、トラッキング駆動量の制御における感度を大きくさせ、磁気回路のより効率的な利用を実現可能である。
【００３９】
以上の結果、より少ない電力で、より適切なチルト駆動、フォーカス駆動及びトラッキング駆動を実現することが可能である。
【００４０】
本発明のこのような作用及び他の利得は次に説明する実施例から更に明らかにされる。
【００４１】
以上説明したように、本発明のレンズ駆動装置に係る実施形態によれば、一対のマグネットと、基準方向に沿って相対的に長いチルト制御用のコイルが、側面に取り付けられたレンズホルダと、保持手段と、を備える。従って、コイルの大きさを基準方向に沿って長くさせ、磁極領域に対向させることによって、コイルに対する鎖交磁束を大きくして、コイルに流れる制御電流の極性及び大きさを入力情報としたチルト駆動量の制御における感度を大きくさせ、磁気回路のより効率的な利用を実現可能である。以上の結果、より少ない電力で、より適切なチルト駆動を実現することが可能である。
【実施例】
【００４２】
以下、図面を参照して本発明の好適な実施の形態について説明する。
【００４３】
（１）基本構成  
次に、図１から図４を参照して、本発明の実施例にかかるレンズ駆動装置１５０の基本構成について説明する。
【００４４】
（１−１）全体的な構成  
先ず、図１及び図２を参照しつつレンズ駆動装置１５０の全体的な構成について説明する。ここに、図１は、本発明の実施例にかかるレンズ駆動装置１５０の基本構成を示した平面図（図１（ａ））、及び側面図（図１（ｂ））である。また、図２は、本発明の実施例によるレンズ駆動装置１５０を構成するマグネット１１及び１２、コイル基板８０及び９０の位置関係を模式的に示した斜視図である。
【００４５】
図１（ａ）及び図１（ｂ）に示されるように、本発明の実施例によるレンズ駆動装置１５０においては、板状のアクチュエータベース１０上に、磁場形成用のマグネット１１又は１２を固定した一対のＬ状のヨーク１３が所定の磁気ギャップを設けて対向配置され、アクチュエータベース１０に対して複数のネジ１４で固定されている。また、アクチュエータベース１０上に支持ベース２０がネジ１４により固定されており、支持ベース２０の４本の支持ワイヤ２１が可動部１００をマグネット１１と１２に挟まれる位置において、傾斜可能であると共に、上下及び左右方向に移動可能に支持している。
【００４６】
可動部１００は、内部に対物レンズ３１を収納した略方形状のレンズホルダ３０と、マグネット１１と対向するレンズホルダ３０のジッタ（図中矢印Ｊ）方向の側面に接着剤等で固定されたコイル基板８０と、マグネット１２と対向するレンズホルダ３０のジッタ方向の側面に接着剤等で固定されたコイル基板９０とを備える。レンズホルダ３０のトラッキング（図中矢印Ｔ）方向に突出して形成された４本の保持部３２ａ、３２ｂが４本の支持ワイヤ２１で支持され、これにより可動部１００は、傾斜可能であると共に、フォーカス（図中矢印Ｆ）方向及びトラッキング方向に移動可能に支持されている。
【００４７】
支持ワイヤ２１は、導電性の棒状又は板状の弾性部材で構成され、一方端が圧延拡大して引出部２２ａが形成され、支持ベース２０の成形時に支持ワイヤ２１の一部がアウトサート成形等により一体成形される。また、支持ワイヤ２１の他方端は、同様に、圧延拡大されて接続部２２ｂが形成され、レンズホルダ３０に設けられた４本の保持部３２ａ、３２ｂに接着剤等で固定される。
【００４８】
マグネット１１及び１２は、図２に示すように、例えば四角形の平面形状の４つの磁石のＮ極面とＳ極面とを組み合わせて構成される。図４（ａ）にマグネット１１の平面図を示し、図４（ｂ）にマグネット１２の平面図を示す。図４（ａ）及び図４（ｂ）に示されるように、マグネット１１及び１２は、ほぼ同一形状の四角形の磁石を、それらのＮ極面とＳ極面とが交互に隣り合うように結合されて構成される。その結果、各磁石の境界線が、トラッキング方向の第１着磁境界線Ｌ１、及び、フォーカス方向の第２着磁境界線Ｌ２を構成する。
【００４９】
再び、図１に示すように、マグネット１１及び１２を所定の間隔をもって対向配置することにより、マグネット１１と１２の間に磁場が形成される。この磁場内で、レンズホルダ３０に固定されたコイル基板８０及び９０上の、後述されるチルト制御用のコイル、フォーカスコイル及びトラッキングコイルに通電することにより、可動部１００が傾斜すると共に、フォーカス方向及びトラッキング方向に移動する。
【００５０】
図３に、コイル基板８０及び９０の平面図を示す。図示のように、コイル基板８０及び９０の各々は、チルト制御用のコイル５０（以下、適宜「チルトコイル５０」と称す）を備える。コイル基板８０及び９０は、例えばガラスエポキシ材などの積層プリント基板であり、その両面のうち一方の面にチルトコイル５０が形成される。他方の面にフォーカス制御用コイルとトラッキング制御用コイルとが形成される。尚、この一方の面においては、チルトコイル５０に加えて、例えばフォーカス制御用及びチルト制御用等の多機能のコイルが、多層構造として、チルトコイル５０に積層されて形成されるようにしてもよい。
【００５１】
本実施例では、図３に示すように、コイル基板上の、チルトコイル５０を配置している。より具体的には、コイル基板の左右方向に横長にチルトコイル５０を形成する。つまり、チルトコイル５０は、図３及び、図４に示されるマグネット１１、１２のトラッキング方向の第１着磁境界線Ｌ１を跨るように配置される。加えて、チルトコイル５０は、図３及び、図４に示されるマグネット１１、１２のフォーカス方向の第２着磁境界線Ｌ２を跨るように配置される。ここで、チルトコイル５０が第１及び第２着磁境界線Ｌ１及びＬ２を跨るとは、第１及び第２着磁境界線Ｌ１及びＬ２がチルトコイル５０の幅方向の中央、又は、高さ方向の中央を通る場合に限らず、中央から多少ずれた位置を通る場合も含む。言い換えれば、第１及び第２着磁境界線Ｌ１及びＬ２が、チルトコイル５０の中央の領域（コイルが巻回されていない領域）を通れば、必ずしもチルトコイル５０の中央を通らなくてもよい。これは、第１及び第２着磁境界線Ｌ１及びＬ２が必ずしもチルトコイル５０の中央を通らなくても、第１及び第２着磁境界線Ｌ１及びＬ２によりチルトコイル５０がおよそ対称に近い状態で２つの領域に分けられるような配置であれば、チルトコイル５０に通電する電流と第１及び第２着磁境界線により規定される磁界によって、レンズホルダの駆動力が正しく得られるからである。
【００５２】
（１−２）チルトコイル及びマグネットの相対的な大きさと可動範囲
次に、図５を参照して、本実施例に係るチルトコイル及びマグネットの相対的な大きさと可動範囲について説明する。ここに、図５は、本実施例に係るチルトコイル及びマグネットにおける、トラッキング方向の相対的な大きさと可動範囲を図式的に示した模式図（図５（ａ））、及びフォーカス方向の相対的な大きさと可動範囲を図式的に示した模式図（図５（ｂ））である。
【００５３】
図５（ａ）に示されるように、例えば、マグネットの大きさを基準にした、チルトコイル５０のトラッキング方向の大きさと可動範囲の条件としては、チルトコイル５０の両端部（即ち、右端部及び左端部）が、マグネットが形成する磁界に含まれないようにチルトコイル５０のトラッキング方向の長さと可動範囲が規定されることが好ましい。尚、チルトコイル５０がトラッキング方向の右方向又は左方向に可動する場合、可動した後に、可動コイルの右端部及び左端部のうち、少なくとも一方が、磁界に含まれないように、チルトコイル５０のトラッキング方向の長さと可動範囲を規定してもよい。
【００５４】
この結果、チルトコイル５０を横長にし、４つの磁極領域に対向させることによって、チルトコイル５０に対する鎖交磁束を大きくして、チルトコイル５０に流れる制御電流の極性及び大きさを入力情報としたチルト駆動量の制御における感度を大きくさせ、磁気回路のより効率的な利用を実現可能である。尚、この感度は、チルトコイル５０の大きさや巻数に基づいて、実験的、理論的、経験的、シミュレーション等によって個別具体的に規定可能である。
【００５５】
加えて、チルトコイル５０の両端部が磁界に含ませないことによって、フォーカス方向（垂直方向、又は、縦方向）に流れる電流に起因するチルト駆動と相反する方向への力の影響を殆ど又は完全に無くし、チルトコイル５０に流れる制御電流の極性及び大きさを入力情報としたチルト駆動量の制御における感度を大きくさせ、磁気回路のより効率的な利用を実現可能である。
【００５６】
以上の結果、より少ない電力で、より適切なチルト駆動を実現することが可能である。
【００５７】
詳細には、図５（ｂ）中の真ん中の図に示されるように、マグネットの大きさを基準にした、チルトコイル５０のフォーカス方向の大きさと可動範囲の条件としては、（i）マグネットの第１着磁境界線Ｌ１と、（ii）チルトコイル５０の中心を通過し、トラッキング方向の線分と、を重ねた場合、チルトコイル５０の上側部と下側部が、マグネットが形成する磁界に含まれることが好ましい。尚、チルトコイル５０がフォーカス方向の上方向又は下方向に可動する場合、可動した後に、チルトコイル５０の上側部及び下側部のうち、少なくとも一方が、磁界に含まれないように、チルトコイル５０のフォーカス方向の長さと可動範囲を規定してもよい。
【００５８】
加えて、図５（ｂ）に示されるように、マグネットの大きさを基準にした、チルトコイル５０のフォーカス方向の可動範囲の条件としては、少なくとも次の３つの条件を満たすことが好ましい。即ち、図５（ｂ）中の左側の図に示されるように、（ｉ）チルトコイル５０の上側部が、第１着磁境界線Ｌ１を跨らないことが好ましい。加えて（ｉｉ）第１着磁境界線Ｌ１は、チルトコイル５０の中央部（即ち、コイルが巻いていない部分）を通過することが好ましい。更に、図５（ｂ）中の左側の図に示されるように、（ｉｉｉ）コイルの下側部が、第１着磁境界線Ｌ１を跨らないことが好ましい。
【００５９】
この結果、チルト制御によりコイル基板が傾斜したときに、チルトコイル５０の一部が意図しない逆磁界に入って誤動作することを効果的に防止することが可能である。
【００６０】
（２）チルト制御の原理  
次に、図６を参照して、本実施例に係るレンズ駆動装置のチルト制御時の動作原理について説明する。ここに、図６は、本実施例に係るチルト制御時の動作と、マグネット１１又は１２とコイル基板８０又は９０の位置関係とを図式的に示した一及び他の模式図（図６（ａ）及び図６（ｂ））である。
【００６１】
先ず、図６（ａ）を参照して、トラッキング方向（又は水平方向）を基準として右側部が上側へ傾斜するチルト制御について説明する。尚、図６（ａ）及び図６（ｂ）中のマーク１００及び１０１はマグネットの４つの領域の各々における磁束の方向を示している。マーク１００は、磁束が紙面の裏面側から表面側へ向いていることを示し、マーク１０１は、磁束が紙面の表面側から裏面側へ向いていることを示している。
【００６２】
図６（ａ）に示されるように、チルトコイル５０に、矢印Ｉ１からＩ４の方向に電流が流されると、その電流とマーク１００及び１０１により示される磁束の方向により、力Ｆ１からＦ４が夫々発生する。従って、可動部１００は、フォーカス方向を基準とした下側方向へ向かう力Ｆ１及びＦ２、並びに、フォーカス方向を基準とした上側方向へ向かう力Ｆ３及びＦ４に基づいて、図６（ａ）中の可動部１００の右側部が相対的に上側へ向かう方向に傾斜（チルト）する。
【００６３】
他方、図６（ｂ）に示されるように、チルトコイル５０に流す電流の極性を反転すれば、チルトコイル５０に流れる電流の方向が逆になり、矢印Ｉ１ｒからＩ４ｒの方向に電流が流されると、その電流とマーク１００及び１０１により示される磁束の方向により、力Ｆ１ｒからＦ４ｒが夫々発生する。従って、可動部１００は、フォーカス方向を基準とした上側方向へ向かう力Ｆ１ｒ及びＦ２ｒ、並びに、フォーカス方向を基準とした下側方向へ向かう力Ｆ３ｒ及びＦ４ｒに基づいて、図６（ｂ）中の可動部１００の右側部が相対的に下側へ向かう方向に傾斜（チルト）する。
【００６４】
この結果、チルトコイル５０に流す制御電流の極性及び大きさを変化させることにより、可動部１００を所定の方向に傾斜させることが可能である。
【００６５】
尚、フォーカス制御、又は、トラッキング制御については、コイル基板８０及び９０に形成された、フォーカス制御用コイルとトラッキング制御用コイルによって、各種の手法に基づいて行われる。
【００６６】
このように、本発明のレンズ駆動装置では、（i）チルトコイル５０と、（ii）フォーカス制御用コイル、若しくは、トラッキング制御用コイルとの駆動制御を独立に行うことができるので、チルト制御、フォーカス制御、及びトラッキング制御のうち少なくとも２つの制御を兼用するコイルを適用する場合と比較して、少なくともチルト制御を単純化することが可能である。
【００６７】
（３）本実施例に係る作用と効果との検討
次に、図７を参照して、本実施例に係る作用と効果とについて検討する。ここに、図７は、本実施例、並びに、比較例に係るチルト制御時の動作と、マグネット１１又は１２とコイル基板８０又は９０の位置関係とを図式的に示した模式図（図７（ａ）、並びに、図７（ｂ））である。
【００６８】
図７（ａ）に示されるように、本実施例に係るチルトコイル５０においては、例えば、マグネットの大きさを基準にした、チルトコイル５０のトラッキング方向の大きさと可動範囲は、単一のチルトコイル５０の両端部が、マグネットが形成する磁界に含まれないようにチルトコイル５０のトラッキング方向の長さと可動範囲が規定される。このように規定されたチルトコイル５０と、マグネットによって、チルト制御が行われる。
【００６９】
仮に、図７（ｂ）に示されるように、比較例に係る、２つのチルトコイル５０ｘ及び５０ｗを、４つの磁極領域に対向させることによって、チルト制御を行う場合、チルトコイル５０ｘ及び５０ｗに対する鎖交磁束が小さくなってしまい、可動部１００に作用する、フォーカス方向を基準とした下側方向へ向かう力Ｆｓ１及びＦｓ２、並びに、フォーカス方向を基準とした上側方向へ向かう力Ｆｓ３及びＦｓ４は、小さくなってしまう。よって、チルトコイル５０ｘ及び５０ｗに流れる制御電流の極性及び大きさを入力情報としたチルト駆動量の制御における感度が小さくなってしまい、適切なチルト駆動を実現するために、大きな電力が必要となってしまう。加えて、比較例に係るチルトコイル５０ｘにおいては、矢印Ｉ５ａ、Ｉ５ｂ、Ｉ６ａ、Ｉ６ｂの方向に電流が流されると、その電流とマーク１００及び１０１により示される磁束の方向により、トラッキング方向の意味のない力（言い換えると、コイルをトラッキング方向にせん断する方向の力）が夫々発生し、チルト制御を妨げる可能性が生じてしまう。尚、チルトコイル５０ｗについても同様である。
【００７０】
これに対して、本実施例に係るチルトコイル５０は、上述したように、例えば、マグネットの大きさを基準にした、チルトコイル５０のトラッキング方向の大きさと可動範囲は、単一のチルトコイル５０の両端部が、マグネットが形成する磁界に含まれないようにチルトコイル５０のトラッキング方向の長さと可動範囲が規定される。更に、例えばマグネットの大きさを基準にした、チルトコイル５０のフォーカス方向の大きさと可動範囲は、（i）マグネットの第１着磁境界線Ｌ１と、（ii）チルトコイル５０の中心を通過し、トラッキング方向の線分と、を重ねた場合、チルトコイル５０の上側部と下側部が、マグネットが形成する磁界に含まれるように規定される。加えて、マグネットの大きさを基準にした、チルトコイル５０のフォーカス方向の可動範囲は、（ｉ）チルトコイル５０の上側部が、第１着磁境界線Ｌ１を跨らなく、（ｉｉ）第１着磁境界線Ｌ１は、チルトコイル５０の中央部（即ち、コイルが巻いていない部分）を通過し、更に、（ｉｉｉ）コイルの下側部が、第１着磁境界線Ｌ１を跨らないように規定される。このように規定されたチルトコイル５０と、マグネットによって、チルト制御が行われる。
【００７１】
この結果、チルトコイル５０を横長にし、４つの磁極領域に対向させることによって、チルトコイル５０に対する鎖交磁束を大きくして、チルトコイル５０に流れる制御電流の極性及び大きさを入力情報としたチルト駆動量の制御における感度を大きくさせ、磁気回路のより効率的な利用を実現可能である。加えて、チルトコイル５０の両端部が磁界に含ませないことによって、フォーカス方向（垂直方向、又は、縦方向）に流れる電流に起因するチルト駆動と相反する方向への力の影響を殆ど又は完全に無くし、チルトコイル５０に流れる制御電流の極性及び大きさを入力情報としたチルト駆動量の制御における感度を大きくさせ、磁気回路のより効率的な利用を実現可能である。
【００７２】
以上の結果、より少ない電力で、より適切なチルト駆動を実現することが可能である。
【００７３】
（４）コイル基板の変形例
次に、図８を参照して、本実施例に係るコイル基板の変形例について説明する。ここに、図８は、本実施例に係るコイル基板の変形例を図式的に示した模式図（図８（ａ）及び図８（ｂ））である。本実施例に係るコイル基板の変形例は、略矩形（所謂、略長方形）ではなく、三角形のコイルを採用している。即ち、図８（ａ）のコイル基板は、三角形のチルトコイル５０ａを備える。また、図８（ｂ）のコイル基板は、三角形のチルトコイル５０ｂを備える。
【００７４】
このように、チルトコイルの形状は、略矩形に限定されるわけではなく、円形などでも構わない。即ち、三角形、略矩形、円形などのコイルの中央部（所謂、空隙）が、マグネットにより形成される上述した第１及び第２着磁境界線を跨ぐように配置すれば、チルト制御用のコイルとして機能することができる。
【００７５】
（５）マグネットの変形例
次に、図９を参照して、本実施例に係るマグネットの変形例について説明する。ここに、図９は、本実施例に係るマグネット１１及び１２の変形例を図式的に示した模式図（図９（ａ）及び図９（ｂ））である。前述した図４に示すマグネット１１及び１２と比較するとわかるように、マグネットの一の変形例は、図９（ａ）中のマグネット１１ａ及び１２ａに示されているように、第１着磁境界線Ｌ１の下側半分の部分、即ち、チルトコイル５０の下側部に対向するＳ極面とＮ極面との部分が存在しないように構成されている。これは、チルト制御によりコイル基板が傾斜したときに、チルトコイル５０の上側部の一部が逆磁界に入って誤動作することを防止するためである。即ち、チルト制御によりコイル基板が傾斜した場合に、チルトコイル５０の上側部の一部が第１着磁境界線Ｌ１を超えて逆磁界領域に入らないようにするためである。
【００７６】
他方、マグネットの他の変形例は、図９（ｂ）中のマグネット１１ｂ及び１２ｂに示されているように、第１着磁境界線Ｌ１の上側半分の部分、即ち、チルトコイル５０の上側部に対向するＮ極面とＳ極面との部分が存在しないように構成されている。これは、チルト制御によりコイル基板が傾斜したときに、チルトコイル５０の下側部の一部が逆磁界に入って誤動作することを防止するためである。即ち、チルト制御によりコイル基板が傾斜した場合に、チルトコイル５０の下側部の一部が第１着磁境界線Ｌ１を超えて逆磁界領域に入らないようにするためである。
【００７７】
尚、チルトコイル５０と、第１着磁境界線Ｌ１との相対的な位置関係は、チルト制御によるチルトコイル５０の可動範囲を基準に定めればよい。また、図４及び図９に示すマグネットは、四角形形状の個別のマグネットをＮ極面とＳ極面とが交互に隣接するように一体化することにより製作することもできるし、磁性体を着磁装置により磁化して製作することもできる。
【００７８】
本発明は、上述した実施例に限られるものではなく、請求の範囲及び明細書全体から読み取れる発明の要旨或いは思想に反しない範囲で適宜変更可能であり、そのような変更を伴うレンズ駆動装置もまた本発明の技術的範囲に含まれるものである。
【図面の簡単な説明】
【００７９】
【図１】本発明の実施例にかかるレンズ駆動装置１５０の基本構成を示した平面図（図１（ａ））、及び側面図（図１（ｂ））である。
【図２】本発明の実施例によるレンズ駆動装置１５０を構成するマグネット１１及び１２、コイル基板８０及び９０の位置関係を模式的に示した斜視図である。
【図３】本発明の実施例によるレンズ駆動装置１５０を構成するコイル基板８０及び９０の平面図である。
【図４】本発明の実施例によるレンズ駆動装置１５０を構成するマグネット１１の平面図（図４（ａ））、及びマグネット１２の平面図（図４（ｂ））である。
【図５】本実施例に係るチルトコイル及びマグネットにおける、トラッキング方向の相対的な大きさと可動範囲を図式的に示した模式図（図５（ａ））、及びフォーカス方向の相対的な大きさと可動範囲を図式的に示した模式図（図５（ｂ））である。
【図６】本実施例に係るチルト制御時の動作と、マグネット１１又は１２とコイル基板８０又は９０の位置関係とを図式的に示した一及び他の模式図（図６（ａ）及び図６（ｂ））である。
【図７】本実施例、並びに、比較例に係るチルト制御時の動作と、マグネット１１又は１２とコイル基板８０又は９０の位置関係とを図式的に示した模式図（図７（ａ）、並びに、図７（ｂ））である。
【図８】本実施例に係るコイル基板の変形例を図式的に示した模式図（図８（ａ）及び図８（ｂ））である。
【図９】図９は、本実施例に係るマグネット１１及び１２の変形例を図式的に示した模式図（図９（ａ）及び図９（ｂ））である。
【符号の説明】
【００８０】
１０  アクチュエータベース
１１、１２  マグネット
３０  レンズホルダ
５０  チルトコイル
８０、９０  コイル基板
【図１】
2008052839.tif 000003
【図２】
2008052839.tif 000004
【図３】
2008052839.tif 000005
【図４】
2008052839.tif 000006
【図５】
2008052839.tif 000007
【図６】
2008052839.tif 000008
【図７】
2008052839.tif 000009
【図８】
2008052839.tif 000010
【図９】
2008052839.tif 000011